(57)【要約】【課題】インターネット電話と一般電話とのどちらを使用中か知らせることができるようにする。【解決手段】電話回線網１００を介して伝送される音声を送受話器１４から入出力する電話通話機能、およびインターネット２００を介して伝送される音声を送受話器１４から入出力するインターネット通話機能を含む複数種類の通話機能を有するＩＰ電話装置１０であって、制御部１１は、電話通話機能あるいはインターネット通話機能のいずれの通話機能が選択されたかを検出する使用通話機能検出手段と、使用通話機能検出手段の検出結果に応じて、電話回線網１００を介する一般電話中か、あるいはインターネット２００を介するインターネット電話中かを報知する使用通話機能報知手段とを実現している。【選択図】  図１
2004180263.tif 000002
【特許請求の範囲】
【請求項１】
電話回線網を介して伝送される音声を送受話器から入出力する電話通話機能、およびインターネットを介して伝送される音声を前記送受話器から入出力するインターネット通話機能を含む複数種類の通話機能を有するＩＰ電話装置であって、
前記電話通話機能あるいはインターネット通話機能のいずれの通話機能が選択されたかを検出する使用通話機能検出手段と、
前記使用通話機能検出手段の検出結果に応じて、前記電話回線網を介する一般電話中か、あるいは前記インターネットを介するインターネット電話中かを報知する使用通話機能報知手段とを有することを特徴とするＩＰ電話装置。
【請求項２】
前記使用通話機能検出手段は、発呼時においては前記インターネット通話機能の選択コマンドの有無により検出し、着呼時においては前記インターネットからのアクセス信号の有無により検出する、請求項１に記載のＩＰ電話装置。
【請求項３】
前記使用通話機能報知手段は、表示および／または音により前記一般電話中あるいはインターネット電話中かを報知する、請求項１または２に記載のＩＰ電話装置。
【請求項４】
前記使用通話機能報知手段は、前記一般電話あるいはインターネット電話による相手先の呼び出し中と、前記一般電話あるいはインターネット電話による通話中とでその報知の態様を変えて報知する、請求項１ないし３のいずれかに記載のＩＰ電話装置。
【請求項５】
前記使用通話機能報知手段は、表示手段により前記一般電話中あるいはインターネット電話中を表示し、前記インターネットを介するインターネット電話中であることを報知するための第１の表示手段と、前記電話回線網を介する一般電話中であることを報知するための第２の表示手段とを備える、請求項１ないし４のいずれかに記載のＩＰ電話装置。
【請求項６】
前記第１および第２の表示手段は、バックライトを有する共通の液晶表示装置で構成され、前記第１の表示手段は、前記バックライトを駆動して第１の発光色で発光し、前記第２の表示手段は、前記バックライトを駆動して第２の発光色で発光する、請求項５に記載のＩＰ電話装置。
【請求項７】
子機を接続するための子機接続手段を備え、
前記使用通話機能報知手段は、前記子機に対しても前記子機接続手段を通じて前記一般電話中あるいはインターネット電話中を報知する、請求項１ないし６のいずれかに記載のＩＰ電話装置。
【請求項８】
前記子機は、前記インターネットを介するインターネット電話中であることを報知するための第３の表示手段と、前記電話回線網を介する一般電話中であることを報知するための第４の表示手段とを備える、請求項７に記載のＩＰ電話装置。
【請求項９】
前記第３および第４の表示手段は、バックライトを有する共通の液晶表示装置で構成され、前記第３の表示手段は、前記バックライトを駆動して第３の発光色で発光し、前記第４の表示手段は、前記バックライトを駆動して第４の発光色で発光する、請求項８に記載のＩＰ電話装置。
【請求項１０】
前記使用通話機能報知手段は、本装置および前記子機の双方に対して報知する、請求項７ないし９のいずれかに記載のＩＰ電話装置。
【請求項１１】
前記子機を用いて前記一般電話中あるいはインターネット電話中の場合、使用中にない他方の通話機能を使用し得る、請求項７ないし１０のいずれかに記載のＩＰ電話装置。
【請求項１２】
電話回線網を介して伝送される音声を送受話器から入出力する電話通話機能、およびインターネットを介して伝送される音声を前記送受話器から入出力するインターネット通話機能を含む複数種類の通話機能を有するＩＰ電話装置と、このＩＰ電話装置と前記インターネットとの間に接続されたコンピュータとを含むＩＰ電話システムであって、
前記ＩＰ電話装置において、前記電話通話機能あるいはインターネット通話機能のいずれの通話機能が選択されたかを検出する使用通話機能検出手段と、
前記使用通話機能検出手段の検出結果に応じて、前記電話回線網を介する一般電話中か、あるいは前記コンピュータおよびインターネットを介するインターネット電話中かを報知する使用通話機能報知手段とを有することを特徴とするＩＰ電話システム。
【発明の詳細な説明】
【０００１】
【発明の属する技術分野】
本発明は、電話回線網を介した一般電話機能に加え、インターネット電話機能を備えたＩＰ電話装置およびＩＰ電話システムに関する。
【０００２】
【従来の技術】
インターネット電話とは、インターネットを経由して音声をパケットにのせて双方向にやり取りする通話形態を意味するが、その従来技術としては、いわゆるコンピュータ・テレフォニに関するもの（たとえば、特許文献１参照）、インターネット電話と一般電話（通常電話）との両方が可能なもの（たとえば、特許文献２参照）などが知られている。
【０００３】
【特許文献１】
特開平１１−１０３３６０号公報（第３頁、第１図）
【特許文献２】
特開平１０−１５５０３４号公報（第６−９頁、第１図）
【０００４】
【発明が解決しようとする課題】
しかしながら、上記した従来技術では、インターネット電話と一般電話との両方が使用可能な場合、通話中にインターネット電話と一般電話とのどちらを使用しているのかわからなくなってしまったり、特に、通信相手からの着呼に基づく通信の場合、インターネット電話によるものか、一般電話によるものかが利用者に分からないという問題があった。
【０００５】
本発明は、上記の点に鑑みて提案されたものであって、インターネット電話と一般電話とのどちらを使用中か知らせることができるＩＰ電話装置およびＩＰ電話システムを提供することを目的とする。
【０００６】
【課題を解決するための手段】
上記目的を達成するために、請求項１に記載した発明のＩＰ電話装置は、電話回線網を介して伝送される音声を送受話器から入出力する電話通話機能、およびインターネットを介して伝送される音声を前記送受話器から入出力するインターネット通話機能を含む複数種類の通話機能を有するＩＰ電話装置であって、前記電話通話機能あるいはインターネット通話機能のいずれの通話機能が選択されたかを検出する使用通話機能検出手段と、前記使用通話機能検出手段の検出結果に応じて、前記電話回線網を介する一般電話中か、あるいは前記インターネットを介するインターネット電話中かを報知する使用通話機能報知手段とを有することを特徴とする。
【０００７】
このようなＩＰ電話装置によれば、ユーザが一般電話あるいはインターネット電話のいずれか一方を使用して通話するのに伴い、現に選択された電話通話機能あるいはインターネット通話機能のいずれかに応じて一般電話あるいはインターネット電話のどちらを使用中か知らせることができる。
【０００８】
また、請求項２に記載した発明のＩＰ電話装置は、請求項１に記載のＩＰ電話装置であって、前記使用通話機能検出手段は、発呼時においては前記インターネット通話機能の選択コマンドの有無により検出し、着呼時においては前記インターネットからのアクセス信号の有無により検出する。
【０００９】
このようなＩＰ電話装置によれば、請求項１に記載のＩＰ電話装置による効果に加えて、発呼時にはインターネット通話機能の選択コマンドに応じてインターネット電話がかけられることを知らせ、着呼時にはインターネットからのアクセス信号に応じてインターネット電話による呼び出しがあることを知らせることができる。
【００１０】
さらに、請求項３に記載した発明のＩＰ電話装置は、請求項１または２に記載のＩＰ電話装置であって、前記使用通話機能報知手段は、表示および／または音により前記一般電話中あるいはインターネット電話中かを報知する。
【００１１】
このようなＩＰ電話装置によれば、請求項１または２に記載のＩＰ電話装置による効果に加えて、インターネット電話と一般電話とのどちらを使用しているのか表示色や音色で区別して知らせることができる。
【００１２】
また、請求項４に記載した発明のＩＰ電話装置は、請求項１ないし３のいずれかに記載のＩＰ電話装置であって、前記使用通話機能報知手段は、前記一般電話あるいはインターネット電話による相手先の呼び出し中と、前記一般電話あるいはインターネット電話による通話中とでその報知の態様を変えて報知する。
【００１３】
このようなＩＰ電話装置によれば、請求項１ないし３のいずれかに記載のＩＰ電話装置による効果に加えて、インターネット電話による呼び出し中と通話中とで表示色や音色を変えて知らせることができる。
【００１４】
さらに、請求項５に記載した発明のＩＰ電話装置は、請求項１ないし４のいずれかに記載のＩＰ電話装置であって、前記使用通話機能報知手段は、表示手段により前記一般電話中あるいはインターネット電話中を表示し、前記インターネットを介するインターネット電話中であることを報知するための第１の表示手段と、前記電話回線網を介する一般電話中であることを報知するための第２の表示手段とを備える。
【００１５】
このようなＩＰ電話装置によれば、請求項１ないし４のいずれかに記載のＩＰ電話装置による効果に加えて、一般電話中とインターネット電話中とで表示手段を変えて知らせることができる。
【００１６】
また、請求項６に記載した発明のＩＰ電話装置は、請求項５に記載のＩＰ電話装置であって、前記第１および第２の表示手段は、バックライトを有する共通の液晶表示装置で構成され、前記第１の表示手段は、前記バックライトを駆動して第１の発光色で発光し、前記第２の表示手段は、前記バックライトを駆動して第２の発光色で発光する。
【００１７】
このようなＩＰ電話装置によれば、請求項５に記載のＩＰ電話装置による効果に加えて、一般電話中とインターネット電話中とで表示色を変えて知らせることができる。
【００１８】
さらに、請求項７に記載した発明のＩＰ電話装置は、請求項１ないし６のいずれかに記載のＩＰ電話装置であって、子機を接続するための子機接続手段を備え、前記使用通話機能報知手段は、前記子機に対しても前記子機接続手段を通じて前記一般電話中あるいはインターネット電話中を報知する。
【００１９】
このようなＩＰ電話装置によれば、請求項１ないし６のいずれかに記載のＩＰ電話装置による効果に加えて、子機を用いて電話をかけようとする際、その子機に対してＩＰ電話装置上ですでにインターネット電話と一般電話とのどちらが使用中にあるかを知らせることができる。
【００２０】
また、請求項８に記載した発明のＩＰ電話装置は、請求項７に記載のＩＰ電話装置であって、前記子機は、前記インターネットを介するインターネット電話中であることを報知するための第３の表示手段と、前記電話回線網を介する一般電話中であることを報知するための第４の表示手段とを備える。
【００２１】
このようなＩＰ電話装置によれば、請求項７に記載のＩＰ電話装置による効果に加えて、子機においても一般電話中とインターネット電話中とで表示手段を変えて知らせることができる。
【００２２】
さらに、請求項９に記載した発明のＩＰ電話装置は、請求項８に記載のＩＰ電話装置であって、前記第３および第４の表示手段は、バックライトを有する共通の液晶表示装置で構成され、前記第３の表示手段は、前記バックライトを駆動して第３の発光色で発光し、前記第４の表示手段は、前記バックライトを駆動して第４の発光色で発光する。
【００２３】
このようなＩＰ電話装置によれば、請求項８に記載のＩＰ電話装置による効果に加えて、子機においても一般電話中とインターネット電話中とで表示色を変えて知らせることができる。
【００２４】
また、請求項１０に記載した発明のＩＰ電話装置は、請求項７ないし９のいずれかに記載のＩＰ電話装置であって、前記使用通話機能報知手段は、本装置および前記子機の双方に対して報知する。
【００２５】
このようなＩＰ電話装置によれば、請求項７ないし９のいずれかに記載のＩＰ電話装置による効果に加えて、本装置と子機の双方に対してインターネット電話と一般電話とのどちらが使用中にあるかを知らせることができる。
【００２６】
さらに、請求項１１に記載した発明のＩＰ電話装置は、請求項７ないし１０のいずれかに記載のＩＰ電話装置であって、前記子機を用いて前記一般電話中あるいはインターネット電話中の場合、使用中にない他方の通話機能を使用し得る。
【００２７】
このようなＩＰ電話装置によれば、請求項７ないし１０のいずれかに記載のＩＰ電話装置による効果に加えて、子機を用いて一般電話により通話しているときでも、それに併行してＩＰ電話による通話を行うことができる。
【００２８】
また、請求項１２に記載した発明のＩＰ電話システムは、電話回線網を介して伝送される音声を送受話器から入出力する電話通話機能、およびインターネットを介して伝送される音声を前記送受話器から入出力するインターネット通話機能を含む複数種類の通話機能を有するＩＰ電話装置と、このＩＰ電話装置と前記インターネットとの間に接続されたコンピュータとを含むＩＰ電話システムであって、前記ＩＰ電話装置において、前記電話通話機能あるいはインターネット通話機能のいずれの通話機能が選択されたかを検出する使用通話機能検出手段と、前記使用通話機能検出手段の検出結果に応じて、前記電話回線網を介する一般電話中か、あるいは前記コンピュータおよびインターネットを介するインターネット電話中かを報知する使用通話機能報知手段とを有することを特徴とする。
【００２９】
このようなＩＰ電話システムによれば、請求項１に記載のＩＰ電話装置によるものと同様の効果を得ることができる。
【００３０】
【発明の実施の形態】
以下、本発明の好ましい実施の形態を、図面を参照して具体的に説明する。
【００３１】
図１は、本発明に係るＩＰ電話システムを説明するためのブロック図である。
【００３２】
ＩＰ電話システム１は、図１に示すように、電話回線網１００経由で伝送される音声信号に基づく音声通話を行う機能を有するＩＰ電話装置１０と、インターネット２００経由でデータ通信可能なパーソナルコンピュータ（以降、ＰＣとする）２０とが、音声信号を伝送可能なオーディオケーブル３００、制御信号を伝送可能なＵＳＢ（Universal Serial Bus）ケーブル４００それぞれを介して接続されてなるものである。
【００３３】
ＩＰ電話装置１０は、装置全体の動作を制御する制御部１１、音声信号に基づく音声の再生および音声信号の記録を行う録再部１２、ユーザインターフェース部（以降、ユーザＩ／Ｆとする）１３、ＩＰ電話装置１０本体から取り外した状態で使用する送受話器であるハンドセット１４、音声を入出力する音声入出力部１５、無線通信用の無線通信部１６、電話回線網１００経由で伝送される音声信号を入出力するＮＣＵ（Network Control Unit）１７、オーディオケーブル３００経由で伝送される音声信号を入出力する音声信号インターフェース部（以降、音声Ｉ／Ｆとする）１８ａおよびＵＳＢケーブル４００経由で伝送される制御信号を入出力する制御信号インターフェース部（以降、制御Ｉ／Ｆとする）１８ｂからなる外部インターフェース部１８、ＩＰ電話装置１０内部における音声信号の伝送経路を切り替える経路切替部１９、ＩＰ電話装置１０本体（無線通信部１６）との間で無線通信を行う無線通信用の子機端末３０などを備えている。
【００３４】
これらのうち、録再部１２は、あらかじめ記録された各種音声信号に基づく音声を再生するメッセージ録再部１２ａと、留守録によるメッセージを音声信号として記録するメッセージ録再部１２ｂとからなり、メッセージ録再部１２ａには、着信を受けた際に利用される呼出音、音声通話を保留する際に利用される保留音、留守録機能によりメッセージの録音を開始する旨を示す留守録メッセージなどの音声信号が記録されている。
【００３５】
また、ユーザＩ／Ｆ１３は、複数のキーで構成される操作キー１３ａおよび各種情報を表示する表示パネル１３ｂからなり、操作キー１３ａは、複数の数字キー、音声通話の保留を開始・終了するための保留キー、外部との音声信号の入出力に利用する伝送経路をＮＣＵ１７から音声Ｉ／Ｆ１８ａに切り替えるための切替キー、音声通話を開始するための外線キー、音声通話を終了するための切キーなどで構成される。表示パネル１３ｂは、互いに異なる色のバックライト１３ｂａ，１３ｂｂを有する液晶表示装置からなり、制御部１０に制御されて文字情報を表示したり、バックライト色をオレンジやグリーンに変化させたりする。たとえば、バックライト１３ｂａは、発光色をオレンジ色、バックライト１３ｂｂは、発光色をグリーン色とする。
【００３６】
また、音声入出力部１５は、スピーカ１５ａ、マイク１５ｂおよびこれらを駆動する駆動回路１５ｃで構成され、スピーカ１５ａから各種音声信号に基づく音声を出力する以外に、スピーカ１５ａおよびマイク１５ｂを送受話器として音声通話（ハンズフリー通話）を行うために使用することもできる。
【００３７】
また、無線通信部１６は、子機端末３０との間で音声信号を含めた各種信号を無線通信で送受信することにより無線通話を実現する。経路切替部１９は、制御部１１の指令を受けて、ＩＰ電話装置１０外部との音声信号の入出力に使用する伝送経路を、ＮＣＵ１７または音声Ｉ／Ｆ１８ａのいずれかに切り替える。なお、この伝送経路は、初期状態においてＮＣＵ１７に切り替えられている。
【００３８】
また、この経路切替部１０は、送受話器として機能する各構成（ハンドセット１４、音声入出力部１５、子機端末３０（無線通信部１６）のいずれか；以降、送受話器類とする）により通話を開始するための操作（以降、オフフック操作とする）が行われた場合に、外部から入力される音声信号の伝送先および外部へ出力する音声信号の伝送先を、いずれかの送受話器類に設定する。具体的には、ハンドセット１４がＩＰ電話装置１０本体から取り外された場合はハンドセット１４に設定され、ユーザＩ／Ｆ１３の操作キー１３ａにより外線キーが押下された場合は音声入出力部１５に設定され、子機端末３０により通話を開始するための操作（後述の操作キー３３を構成する外線キーによる）が行われた場合には無線通信部１６に設定される。一方、送受話器類により通話を終了するための操作（以降、オンフック操作とする）が行われた場合には、いずれかの送受話器類に設定された音声信号の伝送先および伝送元を解除する。具体的には、ハンドセット１４がＩＰ電話装置１０本体に戻された場合、ユーザＩ／Ｆ１３の操作キー１３ａにより切キーが押下された場合、または、子機端末３０により通話を終了するための操作が行われた場合に、音声信号の伝送先および伝送元が解除される。
【００３９】
また、子機端末３０は、子機端末３０全体の動作を制御する制御部３１、スピーカとマイクおよびこれらを駆動する駆動回路からなる送受話部３２、複数のキーで構成される操作キー３３、各種情報を表示する表示パネル３４、あらかじめ記録された各種音声信号に基づく音声を再生する再生部３５、スピーカおよびスピーカを駆動する駆動回路からなり再生部３５で再生された音声を出力するスピーカ部３６、ＩＰ電話装置１０本体（の無線通信部１６）との間で音声信号を含めた各種信号を無線信号により送受信する無線通信部３７などを備えている。この子機端末３０の備える操作キー３３は、複数の数字キー、音声通話を開始するための外線キー、音声通話を終了するための切キー、音声通話の保留を開始・終了するための保留キーなどで構成される。また、再生部３５には、着信を受けた際に利用される呼出音、音声通話を保留する際に利用される保留音などの音声信号が記録される。さらに、表示パネル３４は、異なる色のバックライト３４ａ，３４ｂを有する液晶表示装置からなり、制御部３１に制御されて文字情報を表示したり、バックライト色をオレンジやグリーンに変化させたりする。たとえば、バックライト３４ａは、発光色をオレンジ色、バックライト３４ｂは、発光色をグリーン色とする。
【００４０】
ＰＣ２０は、ＰＣ２０全体の動作を制御する制御部２１、各種情報を記憶する記憶部２２、ＰＣ２０をインターネット２００に接続するための通信部２３、オーディオケーブル３００を介して音声信号を入出力する音声信号インターフェース部（以降、音声Ｉ／Ｆとする）２４ａおよびＵＳＢケーブル４００を介して制御信号を入出力する制御信号インターフェース部（以降、制御Ｉ／Ｆとする）２４ｂからなる外部インターフェース部２４、キーボードおよびマウスなどからなる操作部２５、ディスプレイ２６などを備えている。
【００４１】
また、このＰＣ２０には、インターネット２００経由で伝送される音声信号に基づく音声通話を実現する機能（以降、インターネット通話機能とする）を有している。このインターネット通話機能は、記憶部２２に組み込まれたアプリケーションソフト（以降、通話用ソフトとする）で示される手順に従って以下に示す通話開始処理、送受話処理および通話終了処理を実行することにより実現される機能である。
【００４２】
まず、通話開始処理は、インターネット２００を介してデータ通信可能な他のＰＣのうち、同じ通話用ソフトが組み込まれたＰＣとのコネクションを確立（論理的な通信路の接続）することによって、このＰＣとのデータ通信を開始するための処理である。この通話開始処理は、通話用ソフトが起動した状態で操作部２５により相手側のＰＣを指定する操作が行われた際に実行される。なお、通話用ソフトは、この通話開始処理が行われて、インターネット通信機能による音声通話が開始された以降、通話終了処理が行われてインターネット通信機能による音声通話が終了されるまでの間、音声通話が開始されたことを通知するための制御信号である通知信号を、制御Ｉ／Ｆ２４ｂおよびＵＳＢケーブル４００を介してＩＰ電話装置１０へ出力し続けるように構成されている。
【００４３】
また、送受話処理は、音声信号に基づいてパケット単位のデータを生成し、このデータを通信部２３およびインターネット２００経由で、コネクション確立中のＰＣへ送信すると共に、インターネット２００および通信部２３経由でコネクション確立中のＰＣから送信されてきたパケット単位のデータに基づいて音声信号を生成する処理である。本実施形態においては、オーディオケーブル３００および音声Ｉ／Ｆ２４ａ経由でＩＰ電話装置１０から入力される音声信号に基づきパケット単位のデータが生成され、このデータがインターネット２００に出力される。また、パケット単位のデータに基づいて生成された音声信号は音声Ｉ／Ｆ２４ａおよびオーディオケーブル３００経由でＩＰ電話装置１０に出力される。この送受話処理は、通話開始処理が実行された後、通話終了処理が実行されるまで繰り返し実行される処理であり、これによって、ＰＣ２０（に接続されたＩＰ電話装置１０）とインターネット２００を介して接続されたＰＣとの間で音声通話が実現される。
【００４４】
そして、音声終了処理は、コネクション確立中のＰＣとのコネクションを解放（論理的な通信路の切断）することによって、インターネット通話機能の利用を終了する処理である。この通話終了処理は、操作部２５により通話相手として別のＰＣを指定する操作や、通話用ソフトを終了させるための操作が行われた際に実行される。なお、通話用ソフトは、通話用ソフト自身を終了させる操作が行われた際に、この通話用ソフトの組み込まれたＰＣからコネクション確立中のＰＣへ、コネクションの解放を通知するための解放信号を送信させるように構成されており、ＰＣ２０は、この解放信号を受信した場合にも通話終了処理を実行する。
【００４５】
なお、詳細な説明は省略するが、このＰＣ２０の通信部２３からインターネット２００までに至る通信経路のうち一部の区間（利用者側から電話局側までの区間）には、ＩＰ電話装置１０のＮＣＵ１７から電話回線網１００に至る区間を接続する電話回線が併用されている。この区間においては、ＡＤＳＬ（AsymmetricDigital Subscriber line）技術によって、電話回線網１００を介して伝送される音声信号と、インターネット２００を介して伝送されるデータとが重畳された状態で伝送される。
【００４６】
上記ＩＰ電話装置１０の制御部１１は、電話通話機能あるいはインターネット通話機能のいずれの通話機能が選択されたかを検出する使用通話機能検出手段と、使用通話機能検出手段の検出結果に応じて、電話回線網を介する一般電話中か、あるいはインターネットを介するインターネット電話中かを報知する使用通話機能報知手段とを実現している。この使用通話機能報知手段には、表示手段としての表示パネル１３ｂが含まれ、表示パネル１３ｂは、電話回線網を介する一般電話中であることを報知するための第１の表示手段（バックライト１３ｂａ）と、インターネットを介するインターネット電話中であることを報知するための第２の表示手段（バックライト１３ｂｂ）とを備える。無線通信部１６は、子機（子機端末３０）を接続するための子機接続手段を実現している。子機端末３０は、電話回線網を介する一般電話中であることを報知するための第３の表示手段（バックライト３４ａ）と、インターネットを介するインターネット電話中であることを報知するための第４の表示手段（バックライト３４ｂ）とを備える。
【００４７】
次に、要点となる動作について図面を参照して説明する。
【００４８】
図２および図３は、電話をかける（発呼）場合のＩＰ電話装置１０の処理手順を示すフローチャートである。なお、インターネット電話によりインターネット２００上の相手先に対して電話をかける場合には、相手先電話番号の前に「＃」を付けて電話番号を入力する必要があり、この「＃」の入力がインターネット電話選択コマンドに相当する。ちなみに、子機端末３０から電話をかける場合も、ＩＰ電話装置１０の処理手順としては図２と同様の内容となる。
【００４９】
まず、図２に示すように、たとえばハンドセット１４を持ち上げるなどしてオフフック操作されると（Ｓ１：ＹＥＳ）、その後制御部１１は、相手先電話番号の入力操作が行われるのに応じてＤＴＭＦ（Dual Tone Multi Frequency ）信号が検出されるか否かを判断する（Ｓ２）。これは、子機端末３０を用いて相手先電話番号の入力操作が行われ、それに応じて子機端末３０から無線によりＤＴＭＦ信号が送られてくる場合についても同様である。
【００５０】
ＤＴＭＦ信号を検出すると（Ｓ２：ＹＥＳ）、制御部１１は、ＤＴＭＦ信号にインターネット電話選択コマンドが含まれるか否かを判断する（Ｓ３）。
【００５１】
インターネット電話選択コマンドが含まれる場合（Ｓ３：ＹＥＳ）、制御部１１は、子機端末３０を用いてインターネット電話を使用中か否かを調べる（Ｓ４）。ここで、インターネット電話は、図外の他の子機端末なども用いてたとえば３回線分まで同時に利用できるとする。
【００５２】
子機端末３０を用いてインターネット電話を使用中にない場合（Ｓ４：ＮＯ）、制御部１１は、表示パネル１３ｂに「インターネット電話接続中」を表示させるとともに、バックライト１３ｂａにオレンジ色として点滅させる（Ｓ５）。このとき、制御部１１は、同様の動作を子機端末３０上でも行わせるべく、そのための制御コマンドを子機端末３０に送る。これにより、子機端末３０上でも、表示パネル３４に「インターネット電話接続中」が表示されるとともに、バックライト３４ａがオレンジ色として点滅する。
【００５３】
そして、制御部１１は、図３に示すように、インターネット電話接続処理を行う（Ｓ６）。このインターネット電話接続処理によれば、ＩＰ電話装置１０がＰＣ２０を経由してインターネット２００に接続され、インターネット２００上の電話相手先の端末に対してアクセスが行われる。それに応じて電話相手先の端末がオフフック操作されると、インターネット２００を介して音声パケットがやり取りされる。この音声パケットは、極めて高速にＰＣ２０の通信部２３で処理され、音声信号としては、音声Ｉ／Ｆ２４ａ，１８ａおよびオーディオケーブル３００を介してＩＰ電話装置１０とＰＣ２０との間でやり取りされる。ＩＰ電話装置１０上では、経路切替部１９およびハンドセット１４などを通じて音声が入出力される。これにより、ハンドセット１４を介してインターネット電話による通話が行われる。なお、子機端末３０からインターネット電話をかけた場合には、送受話部３２、無線通信部３７，１６、経路切替部１９、音声Ｉ／Ｆ１８ａ，２４ａ、およびオーディオケーブル３００を介して音声信号がやり取りされ、子機端末３０でもインターネット電話による通話が可能とされる。
【００５４】
インターネット電話接続処理を開始してから所定時間が経過するまでに（Ｓ７：ＮＯ）、相手先との接続（コネクション）が確立すると（Ｓ８：ＹＥＳ）、制御部１１は、表示パネル１３ｂに「インターネット電話通話中」を表示させるとともに、バックライト１３ｂａにオレンジ色として点灯させる（Ｓ９）。このとき、制御部１１は、同様の動作を子機端末３０上でも行わせるべく、そのための制御コマンドを子機端末３０に送る。これにより、子機端末３０上でも、表示パネル３４に「インターネット電話通話中」が表示されるとともに、バックライト３４ａがオレンジ色として点灯する。
【００５５】
その後、ハンドセット１４を用いたインターネット電話による通話を終え、オンフック操作されると（Ｓ１０：ＹＥＳ）、制御部１１は、インターネット電話接続切断処理を行い（Ｓ１１）、表示パネル１３ｂに「待機中」を表示させるとともに、バックライト１３ｂａ，１３ｂｂを消灯状態とした後（Ｓ１２）、電話発呼処理を終える。ここで、Ｓ１１のインターネット電話接続切断処理によれば、音声Ｉ／Ｆ２４ａ，１８ａ、オーディオケーブル３００、経路切替部１９、およびハンドセット１４などからなる音声信号伝送経路が解除され、元の待機状態に戻る。この場合も、子機端末３０上で表示パネル３４に「待機中」が表示されるとともに、バックライト３４ａ，３４ｂが消灯状態とされる。
【００５６】
Ｓ１０において、依然としてオンフック操作されない場合（Ｓ１０：ＮＯ）、制御部１１は、オンフック操作されるまでＳ９に戻ってインターネット電話による通話状態を継続させる。
【００５７】
Ｓ８において、相手先との接続を確立できない場合（Ｓ８：ＮＯ）、制御部１１は、Ｓ７に戻る。
【００５８】
Ｓ７において、相手先との接続を確立できずに所定時間が経過した場合（Ｓ７：ＹＥＳ）、制御部１１は、表示パネル１３ｂに「接続不可」を表示させるとともに、バックライト１３ｂａ，１３ｂｂを消灯状態とした後（Ｓ１３）、電話発呼処理を終える。この場合も、子機端末３０上で「接続不可」が表示されるとともに、バックライト３４ａ，３４ｂが消灯状態とされる。
【００５９】
Ｓ４において、子機端末３０を用いてインターネット電話を使用中の場合（Ｓ４：ＹＥＳ）、制御部１１は、表示パネル１３ｂに「使用中につき利用不可」といったメッセージを表示させさせた後（Ｓ１４）、電話発呼処理を終える。この場合も、インターネット電話を使用していない図外の他の子機端末上で「使用中につき利用不可」が表示されるとともに、バックライトが消灯状態とされる。
【００６０】
Ｓ３において、インターネット電話選択コマンドが含まれない場合（Ｓ３：ＮＯ）、制御部１１は、図２に示すように、子機端末３０を用いて一般電話を使用中か否かを調べる（Ｓ２０）。ここで、一般電話は、ＩＰ電話装置１０および子機端末３０のうちの一つだけを用いて利用できるとする。
【００６１】
子機端末３０を用いて一般電話を使用中にない場合（Ｓ２０：ＮＯ）、制御部１１は、表示パネル１３ｂに「一般電話接続中」を表示させるとともに、バックライト１３ｂｂにグリーン色として点滅させる（Ｓ２１）。このときも、制御部１１は、同様の動作を子機端末３０上でも行わせるべく、そのための制御コマンドを子機端末３０に送る。これにより、子機端末３０上でも、表示パネル３４に「一般電話接続中」が表示されるとともに、バックライト３４ｂがグリーン色として点滅する。
【００６２】
そして、制御部１１は、図３に示すように、一般電話接続処理を行う（Ｓ２２）。この一般電話接続処理によれば、ＩＰ電話装置１０がＮＣＵ１７などを介して電話回線網１００に接続され、電話回線網１００上の電話相手先の端末に対して呼出処理が行われる。それに応じて電話相手先の端末がオフフック操作されると、電話回線網１００を介して音声信号がやり取りされる。この音声信号は、ＮＣＵ１７、経路切替部１９、ハンドセット１４を通じてやり取りされる。これにより、ハンドセット１４を介して一般電話による通話が行われる。なお、子機端末３０から一般電話をかけた場合には、ＮＣＵ１７、経路切替部１９、無線通信部１６，３７、送受話部３２を通じて音声信号がやり取りされ、子機端末３０でも一般電話による通話が可能とされる。
【００６３】
一般電話接続処理を開始してから所定時間が経過するまでに（Ｓ２３：ＮＯ）、相手先との接続が確立すると（Ｓ２４：ＹＥＳ）、制御部１１は、表示パネル１３ｂに「一般電話通話中」を表示させるとともに、バックライト１３ｂｂにグリーン色として点灯させる（Ｓ２５）。このとき、制御部１１は、同様の動作を子機端末３０上でも行わせるべく、そのための制御コマンドを子機端末３０に送る。これにより、子機端末３０上でも、表示パネル３４に「一般電話通話中」が表示されるとともに、バックライト３４ｂがグリーン色として点灯する。
【００６４】
その後、ハンドセット１４を介した一般電話による通話を終え、オンフック操作されると（Ｓ２６：ＹＥＳ）、制御部１１は、一般電話接続切断処理を行い（Ｓ２７）、Ｓ１２に進む。ここで、Ｓ２７の一般電話接続切断処理によれば、ＮＣＵ１７、経路切替部１９、およびハンドセット１４などからなる音声信号伝送経路がそのままの状態とされる。この場合も、子機端末３０上で表示パネル３４に「待機中」が表示されるとともに、バックライト３４ａ，３４ｂが消灯状態とされる。
【００６５】
Ｓ２６において、依然としてオンフック操作されない場合（Ｓ２６：ＮＯ）、制御部１１は、オンフック操作されるまでＳ２５に戻って一般電話による通話状態を継続させる。
【００６６】
Ｓ２４において、相手先との接続を確立できない場合（Ｓ２４：ＮＯ）、制御部１１は、Ｓ２３に戻る。
【００６７】
Ｓ２３において、相手先との接続を確立できずに所定時間が経過した場合（Ｓ２３：ＹＥＳ）、制御部１１は、Ｓ１３に進む。この場合も、ＩＰ電話装置１０だけでなく子機端末３０上でも「接続不可」が表示されるとともに、バックライト３４ａ，３４ｂが消灯状態とされる。
【００６８】
Ｓ２０において、子機端末３０を用いて一般電話を使用中の場合（Ｓ２０：ＹＥＳ）、制御部１１は、Ｓ１４に進む。この場合も、一般電話を使用していない他の子機上で「使用中につき利用不可」が表示されるとともに、バックライトが消灯状態とされる。
【００６９】
Ｓ２において、ＤＴＭＦ信号を検出できない場合（Ｓ２：ＮＯ）、制御部１１は、ＤＴＭＦ信号を検出するまで次の処理待ちとなる。なお、所定時間経過してもＤＴＭＦ信号を検出できない場合には、タイムアウト処理としてそのまま電話発呼処理を終えても良い。
【００７０】
Ｓ１において、オフフック操作されない場合（Ｓ１：ＮＯ）、制御部１１は、待機状態を続ける。
【００７１】
図４は、一例として発呼操作された場合の子機端末３０の処理手順を示すフローチャートである。
【００７２】
子機端末３０上で相手先電話番号を入力するなどの発呼操作が行われると（Ｓ３０：ＹＥＳ）、この子機端末３０からＩＰ電話装置１０に対して相手先電話番号などの入力情報が送信されるとともに、電話の使用状況についての問い合わせが行われる（Ｓ３１）。
【００７３】
上記問い合わせに対し、たとえば図外の他の子機が電話使用中との返答がＩＰ電話装置１０から得られた場合（Ｓ３２：ＹＥＳ）、子機端末３０は、ユーザが選択した電話接続が不可と判断し（Ｓ３３：ＹＥＳ）、「他で使用中です」との警告表示を行う（Ｓ３４）。たとえば、子機端末３０上でインターネット電話をかけるために相手先電話番号の前に「＃」を付けて電話番号が入力され、インターネット電話選択コマンドがＩＰ電話装置１０に送信された場合、このときに他の子機を含めて３回線分のインターネット電話が使用中にあると、子機端末３０上の表示パネル３４には、「他で使用中です」との警告メッセージが表示される。なお、子機端末３０からインターネット電話をかける際に他の子機が一般電話を使用している場合、子機端末３０ではインターネット電話、他の子機では一般電話が互いに干渉することなく使用可能とされるので、「他で使用中です」との警告メッセージが表示されることはない。
【００７４】
その後、警告メッセージの表示開始から所定時間が経過すると（Ｓ３５：ＹＥＳ）、表示パネル３４が「待機中」の表示に戻って子機発呼処理が終わる（Ｓ３６）。
【００７５】
Ｓ３５において、警告メッセージの表示開始から所定時間が経過までは（Ｓ３５：ＮＯ）、Ｓ３４に戻って引き続き警告メッセージの表示が継続される。
【００７６】
Ｓ３３において、ユーザが選択した電話接続が可能な状態の場合（Ｓ３３：ＮＯ）、電話接続処理が行われる（Ｓ３７）。この電話接続処理によれば、たとえばインターネット電話の場合、子機端末３０がＩＰ電話装置１０とＰＣ２０を介してインターネット２００上の電話相手先の端末と接続された状態とされる。
【００７７】
Ｓ３２において、他の子機が電話使用中でない場合も（Ｓ３２：ＮＯ）、Ｓ３７に進んで電話接続処理が行われる。
【００７８】
Ｓ３０において、発呼操作が行われない場合（Ｓ３０：ＮＯ）、待機状態が続けられる。
【００７９】
次に、図５は、電話発呼元から電話がかけられた（着呼）場合のＩＰ電話装置１０の処理手順を示すフローチャートである。なお、インターネット電話による着呼か一般電話による着呼かは、ＰＣ２０がインターネット２００上からアクセス信号を受信して転送してきたか、あるいはＮＣＵ１７が呼出信号を受信したかによって判別可能とされる。
【００８０】
まず、制御部１１は、待機中にインターネット電話による着呼があるか否かを監視している（Ｓ４０）。これは、ＰＣ２０から転送されてくるアクセス信号の有無を検出することを意味する。
【００８１】
インターネット電話による着呼があると（Ｓ４０：ＹＥＳ）、制御部１１は、子機端末３０がインターネット電話を使用中か否かを調べる（Ｓ４１）。
【００８２】
子機端末３０がインターネット電話を使用中にない場合（Ｓ４１：ＮＯ）、制御部１１は、表示パネル１３ｂに「インターネット電話呼出中」を表示させるとともに、バックライト１３ｂａをオレンジ色として点灯させ、同時にインターネット電話に対応付けたメロディからなる呼出音を鳴動させる（Ｓ４２）。このとき、子機端末３０でも同様の動作が行われる。
【００８３】
そして、オフフック操作されると（Ｓ４３：ＹＥＳ）、制御部１１は、呼出音の鳴動を停止させる一方（Ｓ４４）、表示パネル１３ｂに「インターネット電話通話中」を表示させるとともに、バックライト１３ｂａをオレンジ色に継続して点灯させる（Ｓ４５）。
【００８４】
これとほぼ同時に、制御部１１は、インターネット電話接続処理を行う（Ｓ４６）。このインターネット電話接続処理によれば、インターネット２００上の電話発呼元の端末に対してＩＰ電話装置１０が接続された状態とされ、インターネット２００を介して音声パケットがやり取りされる。この音声パケットは、極めて高速にＰＣ２０の通信部２３で処理され、音声信号としては、音声Ｉ／Ｆ２４ａ，１８ａおよびオーディオケーブル３００を介してＩＰ電話装置１０とＰＣ２０との間でやり取りされる。ＩＰ電話装置１０上では、経路切替部１９およびハンドセット１４などを通じて音声が入出力される。これにより、ハンドセット１４を介してインターネット電話による通話が行われる。なお、子機端末３０がオフフック操作された場合には、送受話部３２、無線通信部３７，１６、経路切替部１９、音声Ｉ／Ｆ１８ａ，２４ａ、およびオーディオケーブル３００を介して音声信号がやり取りされ、子機端末３０でもインターネット電話による通話が可能とされる。
【００８５】
インターネット電話による通話を終えてオンフック操作されると（Ｓ４７：ＹＥＳ）、制御部１１は、インターネット電話接続切断処理を行い（Ｓ４８）、さらに表示パネル１３ｂに「待機中」を表示させるとともに、バックライト１３ｂａ，１３ｂｂを消灯状態とした後（Ｓ４９）、電話着呼処理を終える。このインターネット電話接続切断処理によれば、音声Ｉ／Ｆ２４ａ，１８ａ、オーディオケーブル３００、経路切替部１９、およびハンドセット１４などからなる音声信号伝送経路が解除され、元の待機状態に戻る。
【００８６】
Ｓ４７において、依然としてオンフック操作されない場合（Ｓ４７：ＮＯ）、制御部１１は、オンフック操作されるまでインターネット電話による通話状態を継続させる。
【００８７】
Ｓ４３において、オフフック操作されない場合（Ｓ４３：ＮＯ）、制御部１１は、Ｓ４２に戻る。
【００８８】
Ｓ４１において、子機端末３０を含めて少なくとも３回線分のインターネット電話を使用中の場合（Ｓ４１：ＹＥＳ）、制御部１１は、インターネット２００上の電話発呼元に対してビジー信号を送信し（Ｓ５０）、電話着呼処理を終える。これにより、電話発呼元では、インターネット電話を利用して通話できない状況にあることを知ることができる。
【００８９】
Ｓ４０において、インターネット電話による着呼ではなく（Ｓ４０：ＮＯ）、一般電話による着呼があると（Ｓ５１：ＹＥＳ）、制御部１１は、表示パネル１３ｂに「一般電話呼出中」を表示させるとともに、バックライト１３ｂｂをグリーン色として点灯させ、同時に一般電話に対応付けたメロディからなる呼出音を鳴動させる（Ｓ５２）。このとき、子機端末３０でも同様の動作が行われる。
【００９０】
そして、オフフック操作されると（Ｓ５３：ＹＥＳ）、制御部１１は、呼出音の鳴動を停止させる一方（Ｓ５４）、表示パネル１３ｂに「一般電話通話中」を表示させるとともに、バックライト１３ｂｂをグリーン色に継続して点灯させる（Ｓ５５）。
【００９１】
これとほぼ同時に、制御部１１は、一般電話接続処理を行う（Ｓ５６）。この一般電話接続処理によれば、電話回線網１００上の電話発呼元の端末に対してＩＰ電話装置１０が接続された状態とされ、電話回線網１００を介して音声信号がやり取りされる。この音声信号は、ＮＣＵ１７、経路切替部１９、ハンドセット１４を通じてやり取りされる。これにより、ハンドセット１４を介して一般電話による通話が行われる。なお、子機端末３０がオフフック操作された場合には、ＮＣＵ１７、経路切替部１９、無線通信部１６，３７、送受話部３２を通じて音声信号がやり取りされ、子機端末３０でも一般電話による通話が可能とされる。
【００９２】
一般電話による通話を終えてオンフック操作されると（Ｓ５７：ＹＥＳ）、制御部１１は、一般電話接続切断処理を行い（Ｓ５８）、その後Ｓ４９に進む。この一般電話接続切断処理によれば、ＮＣＵ１７、経路切替部１９、およびハンドセット１４などからなる音声信号伝送経路がそのままの状態とされる。
【００９３】
Ｓ５７において、依然としてオンフック操作されない場合（Ｓ５７：ＮＯ）、制御部１１は、オンフック操作されるまで一般電話による通話状態を継続させる。
【００９４】
Ｓ５３において、オフフック操作されない場合（Ｓ５３：ＮＯ）、制御部１１は、Ｓ５２に戻る。
【００９５】
Ｓ５１において、一般電話による着呼もない場合（Ｓ５１：ＮＯ）、制御部１１は、インターネット電話あるいは一般電話による着呼があるまで待機状態を続ける。
【００９６】
ところで、上記した電話発呼処理や電話着呼処理に伴っては、図６に示すような発呼履歴や着呼履歴が表示情報として制御部１１内のメモリに保存される。このような発呼履歴や着呼履歴によれば、日時、通話時間、相手先電話番号、相手先名称などに加え、インターネット電話（ＩＰ）によるものか一般電話（ＰＳＴＮ）によるものかが示され、どのような電話接続形態で発呼処理や着呼処理が行われたのかを容易に知ることができる。
【００９７】
したがって、本実施形態によれば、たとえばユーザが子機端末３０を用いてインターネット電話をかけようとする際、ＩＰ電話装置１０のハンドセット１４や他の子機を用いて既にインターネット電話により通話が行われている場合には、警告メッセージやバックライト３４ａのオレンジ色点灯によりインターネット電話を使えない状況にあることを知ることができる。
【００９８】
ただし、子機端末３０を用いてインターネット電話を使用できない状況にあっても、ユーザは、他の子機において使用中にない一般電話を子機端末３０からかけることができ、臨機応変にインターネット電話と一般電話とを利用することができる。
【００９９】
なお、本発明は、上記の実施形態に限定されるものではない。
【０１００】
上記実施形態においては、ＩＰ電話システム１がＩＰ電話装置１０とＰＣ２０とをオーディオケーブル３００で接続した構成を例示した。しかし、ＩＰ電話装置１０が、ＰＣ２０と同様に機能する構成を備えている場合には、ＩＰ電話装置１０のみでＩＰ電話システム１を構成しても良い。具体的には、図７に示すＩＰ電話システム２のように、ＩＰ電話装置１０をインターネット２００に接続する通信部４２、通話ソフトが組み込まれた記憶装置であって、通話ソフトにしたがって動作するＰＣ２０（の制御部２１）と同じように制御部１１を機能させるためのインターネット通話処理部４４を備えていれば良い。
【０１０１】
インターネット電話をかける場合には、相手先電話番号の前に「＃」を付けて電話番号を入力する必要があるが、一般電話をかける場合にも、特定のキー入力が必要としても良い。
【０１０２】
図４のフローチャートによれば、子機端末３０からインターネット電話をかける際、本体としてのＩＰ電話装置１０や他の子機を用いてインターネット電話を３回線分使用している場合、「他で使用中です」との警告表示がなされてインターネット電話をかけられないが、そうした状況では、自動的に一般電話に切り替えて子機端末３０から一般電話がかけられるようにしても良い。
【０１０３】
インターネット電話および一般電話を使用中の場合、それぞれに対応付けたメロディ音などを発生させるようにしても良い。
【０１０４】
【発明の効果】
以上説明したように、請求項１に記載した発明のＩＰ電話装置によれば、ユーザが一般電話あるいはインターネット電話のいずれか一方を使用して通話するのに伴い、現に選択された電話通話機能あるいはインターネット通話機能のいずれかに応じて一般電話あるいはインターネット電話のどちらを使用中か知らせることができる。
【０１０５】
また、請求項２に記載した発明のＩＰ電話装置によれば、請求項１に記載のＩＰ電話装置による効果に加えて、発呼時にはインターネット通話機能の選択コマンドに応じてインターネット電話がかけられることを知らせ、着呼時にはインターネットからのアクセス信号に応じてインターネット電話による呼び出しがあることを知らせることができる。
【０１０６】
さらに、請求項３に記載した発明のＩＰ電話装置によれば、請求項１または２に記載のＩＰ電話装置による効果に加えて、インターネット電話と一般電話とのどちらを使用しているのか表示色や音色で区別して知らせることができる。
【０１０７】
また、請求項４に記載した発明のＩＰ電話装置によれば、請求項１ないし３のいずれかに記載のＩＰ電話装置による効果に加えて、インターネット電話による呼び出し中と通話中とで表示色や音色を変えて知らせることができる。
【０１０８】
さらに、請求項５に記載した発明のＩＰ電話装置によれば、請求項１ないし４のいずれかに記載のＩＰ電話装置による効果に加えて、一般電話中とインターネット電話中とで表示手段を変えて知らせることができる。
【０１０９】
また、請求項６に記載した発明のＩＰ電話装置によれば、請求項５に記載のＩＰ電話装置による効果に加えて、一般電話中とインターネット電話中とで表示色を変えて知らせることができる。
【０１１０】
さらに、請求項７に記載した発明のＩＰ電話装置によれば、請求項１ないし６のいずれかに記載のＩＰ電話装置による効果に加えて、子機を用いて電話をかけようとする際、その子機に対してＩＰ電話装置上ですでにインターネット電話と一般電話とのどちらが使用中にあるかを知らせることができる。
【０１１１】
また、請求項８に記載した発明のＩＰ電話装置によれば、請求項７に記載のＩＰ電話装置による効果に加えて、子機においても一般電話中とインターネット電話中とで表示手段を変えて知らせることができる。
【０１１２】
さらに、請求項９に記載した発明のＩＰ電話装置によれば、請求項８に記載のＩＰ電話装置による効果に加えて、子機においても一般電話中とインターネット電話中とで表示色を変えて知らせることができる。
【０１１３】
また、請求項１０に記載した発明のＩＰ電話装置によれば、請求項７ないし９のいずれかに記載のＩＰ電話装置による効果に加えて、本装置と子機の双方に対してインターネット電話と一般電話とのどちらが使用中にあるかを知らせることができる。
【０１１４】
さらに、請求項１１に記載した発明のＩＰ電話装置によれば、請求項７ないし１０のいずれかに記載のＩＰ電話装置による効果に加えて、子機を用いて一般電話により通話しているときでも、それに併行してＩＰ電話による通話を行うことができる。
【０１１５】
また、請求項１２に記載した発明のＩＰ電話システムによれば、請求項１に記載のＩＰ電話装置によるものと同様の効果を得ることができる。
【図面の簡単な説明】
【図１】本発明に係るＩＰ電話システムを説明するためのブロック図である。
【図２】電話をかける（発呼）場合のＩＰ電話装置の処理手順を示すフローチャートである。
【図３】電話をかける（発呼）場合のＩＰ電話装置の処理手順を示すフローチャートである。
【図４】一例として発呼操作された場合の子機端末の処理手順を示すフローチャートである。
【図５】電話発呼元から電話がかけられた（着呼）場合のＩＰ電話装置の処理手順を示すフローチャートである。
【図６】発呼履歴および着呼履歴を説明するための説明図である。
【図７】ＩＰ電話システムの変形例を説明するためのブロック図である。
【符号の説明】
１，２    ＩＰ電話システム
１０      ＩＰ電話装置
１１      制御部
１２      録再部
１３      ユーザＩ／Ｆ
１３ａ    操作キー
１３ｂ    表示パネル
１３ｂａ  バックライト（オレンジ色）
１３ｂｂ  バックライト（グリーン色）
１４      ハンドセット
１５      音声入出力部
１６      無線通信部
１７      ＮＣＵ
１８      外部インターフェース部
１８ａ    音声Ｉ／Ｆ
１８ｂ    制御Ｉ／Ｆ
１９      経路切替部
２０      ＰＣ
２１      制御部
２２      記憶部
２３      通信部
２４      外部インターフェース部
２４ａ    音声Ｉ／Ｆ
２４ｂ    制御Ｉ／Ｆ
２５      操作部
３０      子機端末
３１      制御部
３２      送受話部
３３      操作キー
３４      表示パネル
３４ａ    バックライト（オレンジ色）
３４ｂ    バックライト（グリーン色）
３５      再生部
３６      スピーカ部
３７      無線通信部
４２      通信部
４４      インターネット通信処理部
１００    電話回線網
２００    インターネット
３００    オーディオケーブル
【図１】
2004180263.tif 000003
【図２】
2004180263.tif 000004
【図３】
2004180263.tif 000005
【図４】
2004180263.tif 000006
【図５】
2004180263.tif 000007
【図６】
2004180263.tif 000008
【図７】
2004180263.tif 000009